(57)【要約】【課題】閂ロッドをロック解除状態とする際のノブの操作ストロークを小さくすることである。【解決手段】開閉可能なボックス本体２０が、閂ロッド５０のロック状態において閉じた状態に保持され、閂ロッドをロック解除状態に作動させることで開き操作可能となるグローブボックス用操作装置において、ストッパー機構ＳＴＰとノブ８０とが設けられている。ストッパー機構は、係合溝７２ａとこの係合溝に係合可能な係合突起６０ｂとを備え、係合溝に対する係合突起の係合によって閂ロッドをロック状態に位置規制することができる。ノブはその操作によってストッパー機構の係合溝に対する係合突起の係合を解除でき、この係合の解除によって閂ロッドがロック解除状態に作動するように構成されている。そして、ストッパー機構の係合溝に対する係合突起の係合代が、閂ロッドをロック状態に保つための係合代よりも小さい寸法に設定されている。【選択図】図１２
2015039997.tif 000002
【特許請求の範囲】
【請求項１】
開閉可能なボックス本体が、閂ロッドのロック状態において閉じた状態に保持され、閂ロッドをロック解除状態に作動させることで開き操作可能となるグローブボックス用操作装置であって、
ボックス本体側に設けられたストッパー機構と、このストッパー機構に設けられたノブとを備え、
ストッパー機構は、係合溝とこの係合溝に係合可能に構成された係合突起とを備え、係合溝に対する係合突起の係合によって閂ロッドをロック状態に位置規制することができ、ノブはその操作によってストッパー機構の係合溝に対する係合突起の係合を解除でき、この係合の解除によって閂ロッドがロック解除状態に作動するように構成され、
ストッパー機構の係合溝に対する係合突起の係合代が、閂ロッドをロック状態に保つための係合代よりも小さい寸法に設定されているグローブボックス用操作装置。
【請求項２】
請求項１に記載のグローブボックス用操作装置であって、
ボックス本体が、カム部を備えたボックス収納体に開閉可能に組みつけられ、
ストッパー機構が、係合溝を備えたケースと、係合突起を備えたストッパー体と、スプリングとによって構成され、
ケースは、ボックス本体に組付けられ、
ストッパー体は、ケースに対する回転が可能で、かつ、その回転軸線に沿った直線移動が可能に支持され、ストッパー体の回転は、閂ロッドの作動と連動するように相互に連結され、ストッパー体の直線移動は、その係合突起をケースの係合溝に係合させ、あるいは係合を解除させることができ、
スプリングは、ストッパー体に対し、閂ロッドをロック解除状態に作動させる回転方向への付勢力と、係合突起を係合溝に係合させる直線移動方向への付勢力とを与えており、
ボックス本体がボックス収納体に対して閉ざされるときのストッパー体は、ボックス収納体のカム部によりスプリングの付勢力に抗する方向へ回転して閂ロッドをロック状態に作動させ、かつ、スプリングによる直線移動方向への付勢力を受けて係合突起を係合溝に係合させるように構成されたグローブボックス用操作装置。
【発明の詳細な説明】
【技術分野】
【０００１】
本発明は、グローブボックス用操作装置に関する。詳しくは、開閉可能なボックス本体が、閂ロッドのロック状態において閉じた状態に保持され、閂ロッドをロック解除状態に作動させることで開き操作可能となるグローブボックス用操作装置に関する。
【背景技術】
【０００２】
この種の操作装置においては、その一例が特許文献１に開示されている。この操作装置は閂ロッドとノブとを備えている。閂ロッドは、ボックス本体が組付けられた相手部材に対する所定寸法の係合代の係合によって、ボックス本体を相手部材に対して閉じた状態に保持することができる。
閂ロッドとノブとは、互いに摺動接触する傾斜面を備え、ノブを押すとノブのスライド方向と直行する方向に閂ロッドがスライドし、相手部材と係合したロック状態にある閂ロッドがロック解除状態になる。
【先行技術文献】
【特許文献】
【０００３】
【特許文献１】特開２００８−２７３２８３号公報
【発明の概要】
【発明が解決しようとする課題】
【０００４】
この種の操作装置においては、通常、閂ロッドとノブとの傾斜面が約４５度の傾斜角度を有するように構成されており、閂ロッドがノブを操作した寸法分だけスライドする。そのため、閂ロッドをロック解除状態に作動させるためには、閂ロッドをロック状態に保つための係合代の寸法分もしくは、それ以上の寸法分ノブを操作する必要がある。
【０００５】
本発明は、このような問題点を解決しようとするものであって、その目的は、閂ロッドをロック解除状態とする際のノブの操作ストロークを小さくすることである。
【課題を解決するための手段】
【０００６】
本発明は、上記の目的を達成するためのもので、以下のように構成されている。
開閉可能なボックス本体が、閂ロッドのロック状態において閉じた状態に保持され、閂ロッドをロック解除状態に作動させることで開き操作可能となるグローブボックス用操作装置であって、ボックス本体側に設けられたストッパー機構と、このストッパー機構に設けられたノブとを備えている。
ストッパー機構は、係合溝とこの係合溝に係合可能に構成された係合突起とを備え、係合溝に対する係合突起の係合によって閂ロッドをロック状態に位置規制することができる。ノブはその操作によってストッパー機構の係合溝に対する係合突起の係合を解除でき、この係合の解除によって閂ロッドがロック解除状態に作動するように構成されている。そして、ストッパー機構の係合溝に対する係合突起の係合代が、閂ロッドをロック状態に保つための係合代よりも小さい寸法に設定されている。
【０００７】
さらに好ましくは、つぎのような構成とすることである。
ボックス本体が、カム部を備えたボックス収納体に開閉可能に組みつけられ、ストッパー機構が、係合溝を備えたケースと、係合突起を備えたストッパー体と、スプリングとによって構成されている。
ケースは、ボックス本体に組付けられ、ストッパー体は、ケースに対する回転が可能で、かつ、その回転軸線に沿った直線移動が可能に支持され、ストッパー体の回転は、閂ロッドの作動と連動するように相互に連結され、ストッパー体の直線移動は、その係合突起をケースの係合溝に係合させ、あるいは係合を解除させることができる。スプリングは、ストッパー体に対し、閂ロッドをロック解除状態に作動させる回転方向への付勢力と、係合突起を係合溝に係合させる直線移動方向への付勢力とを与えている。
ボックス本体がボックス収納体に対して閉ざされるときのストッパー体は、ボックス収納体のカム部によりスプリングの付勢力に抗する方向へ回転して閂ロッドをロック状態に作動させ、かつ、スプリングによる直線移動方向への付勢力を受けて係合突起を係合溝に係合させるように構成されている。
【発明の効果】
【０００８】
本発明においては、ストーパー機構における係合溝と係合突起との係合代を、閂ロッドをロック状態に保つための係合代と比べて小さく設定したことにより、閂ロッドをロック解除状態とするには、ノブを操作して係合代の小さい係合溝と係合突起との係合を外して閂ロッドの位置規制を解除すればよく、このときのノブの操作ストロークを小さくすることができる。
【０００９】
また、ストーパー機構のストッパー体は、ボックス本体が閉ざされると、スプリングの付勢力に抗して閂ロッドをロック状態に作動させ、かつ、スプリングの付勢力によって係合突起を係合溝に係合させるように構成されている。これにより、閂ロッドは常にロック解除方向への付勢力を受けているにも関わらず、ボックス本体を閉ざした状態ではストーパー機構によって閂ロッドがロック状態に位置規制される。
【図面の簡単な説明】
【００１０】
【図１】グローブボックスの外観斜視図である。
【図２】図１と異なる向きからのグローブボックスの外観斜視図である。
【図３】グローブボックスの一部を破断して表した分解斜視図である。
【図４】図３と異なる向きからのグローブボックスの分解斜視図である。
【図５】ケースの上面図である。
【図６】ボックス本体への設置前における各閂ロッドとストッパー機構とノブとの組付き状態を表した斜視図である。
【図７】ボックス本体に設置された状態における各閂ロッドとストッパー機構とノブとの組付き状態を表した斜視図である。
【図８】各閂ロッドとストッパー機構とノブとがボックス本体に設置された状態を表した斜視図である。
【図９】各閂ロッドのロック解除状態を表した断面図である。
【図１０】ボックス本体をボックス収納体に押し入れた状態を図９との対応によって表した断面図である。
【図１１】各閂ロッドのロック状態を表した断面図である。
【図１２】図１１のＸＩＩ−ＸＩＩ矢視方向の断面図である。
【図１３】ノブを押し上げた状態を図１２との対応によって表した断面図である。
【発明を実施するための形態】
【００１１】
以下、本発明を実施するための形態を、図面を用いて説明する。
グローブボックス１は主として、車両の前部座席の前方に位置するインストルメントパネルの助手席側に設置して使用される。
グローブボックス１は、ボックス収納体１０と、このボックス収納体１０に収納可能なボックス本体２０とによって構成されている（図１乃至２参照）。ボックス本体２０はボックス収納体１０から引き出して使用することができる。
【００１２】
図３乃至４に示すように、ボックス収納体１０は矩形状に構成され、後に開放されている。ボックス収納体１０の両側板の内面には、ボックス本体２０の出し入れを案内する凸状の固定レール１２が個々に設けられている。各固定レール１２は、前後に直線状に延びている。各固定レール１２の下には、各側板を左右に貫通したロック孔１４が形成されている。各ロック孔１４は、後述のロッド孔２９よりも大きい寸法に設定されている。
ボックス収納体１０の底板は、天板および両側板よりも所定寸法だけ後方側に短い。そして、該底板には、後述するケース７０の底面部分に対応する形状に切り抜かれた切抜部１６が設けられている。ボックス収納体１０の底板上面において、切抜部１６の前方には、後述するストッパー体６０の回転を案内するカム部１８が設けられている。カム部１８は、右前方へむけて緩やかに湾曲している。
ボックス収納体１０の前板の２箇所には開口部（図示省略）が設けられ、各開口部には個々にクッションＣが嵌め込まれている。各クッションＣによって、ボックス本体２０がボックス収納体１０の前板に接触するのを防ぐことができる。
【００１３】
図３乃至４に示すように、ボックス本体２０は、箱型の物入れ部２２を骨格としている。物入れ部２２の後面は意匠板２４で構成されている。物入れ部２２を構成する両側板の外面には、個々に凹状の可動レール２６が設けられている。各可動レール２６が各固定レール１２に対して組み付けられることによって、ボックス本体２０はボックス収納体１０に対して出し入れ可能となっている。
物入れ部２２の底板下面の両側端には個々に延長板２８が設けられている。各延長板２８には、該各延長板２８を左右に貫通したロッド孔２９が形成されている。各ロッド孔２９は、後述する閂ロッド５０のロック部５０ｂの上下断面に対応した寸法に設定されている。
物入れ部２２の底板下面の中央には、本体円筒部３０が設けられている。本体円筒部３０は、その後端部が上下に直線状に切り欠かれるとともに、後端から左側が下方へ向けて前方側へ切り欠かかれている。これにより、本体円筒部３０の後端部の上端には切欠部３０ａが形成され、この切欠部３０ａの左下方側には螺旋状の案内部３０ｂが形成されている。
本体円筒部３０の左右には、後述するケース７０を固定するための取付け構造（取付け孔Ｈ１および結合ピンＰ）が設けられている。本体円筒部３０の左斜め前方および右斜め後方には、後述する閂ロッド５０を受け止めるためのロッド受け部３２が設けられている。
【００１４】
ボックス本体２０の下部には図３乃至４に示す一対の閂ロッド５０とストッパー機構ＳＴＰとノブ８０とが設けられている。
各閂ロッド５０の一端には上下に貫通した挿入孔５０ａが設けられ、他端には左右に延びたロック部５０ｂが設けられている。各閂ロッド５０は図７のようにしてストッパー機構ＳＴＰに連結されている。この連結の様子については、ストッパー機構ＳＴＰとの関連において後で詳しく説明する。
【００１５】
ストッパー機構ＳＴＰは、トーションタイプのスプリングＳとストッパー体６０と、これらが組付けられているケース７０とによって構成されている（図３乃至４および７参照）。
図３乃至５に示すように、ケース７０は、略矩形の底壁部７２と、底壁部７２を取り囲む周壁部７４とによって容器状に構成されている。左右の周壁部７４には、個々に取付部７４ａが設けられている。各取付部７４ａには、ボックス本体２０の取付け構造に対応する取付け構造（ビスＶおよび取付け孔Ｈ２）が設けられている。
周壁部７４の左後方部分と右前方部分とは、後述のような各閂ロッド５０の作動を妨ぐことが無いように切り欠かれている。また、周壁部７４の前方部分は、後述のようなストッパー体６０の作動を妨ぐことが無いように切り欠かれている。
【００１６】
図３乃至５に示すように、ケース７０の底壁部７２の上面側の中央には、上方に突出したケース円筒部７６が設けられている。ケース円筒部７６の径は、本体円筒部３０の径よりも大きい寸法に設定されている。ケース円筒部７６の後部上端には、スプリングＳを係合するための切欠部７６ａが設けられている。底壁部７２の上面側において、ケース円筒部７６を挟んだ左右には、個々に扇状の係合溝７２ａが設けられている。
底壁部７２におけるケース円筒部７６を挟んだ前後左右には、個々に該底壁部７２を上下に貫通した規制解除孔７２ｂが設けられている。各規制解除孔７２ｂは、底壁部７２の前後左右の各辺に沿って長方形状に構成されている。ケース円筒部７６の左右において、各規制解除孔７２ｂは各係合溝７２ａと連続して形成されており、各係合溝７２ａを前後に横切っている。
図４に示すように、ケース７０の底壁部７２は、周壁部７４の下面よりも所定寸法だけ上方に形成されている。これにより、ケース７０の下面側には上に凹んだノブ保持部７８が設けられている。ノブ保持部７８を取り囲む四方の各周壁部７４には、個々に支持凹部７４ｂが設けられている。各支持凹部７４ｂはノブ保持部７８の内方に開放されている。
【００１７】
図３乃至４に示すように、ストッパー体６０は円盤状に構成されている。ストッパー体６０の中央には、上方に突出したストッパー円筒部６２が設けられている。ストッパー円筒部６２は、その上下がともに開放されている。ストッパー円筒部６２は、その径をケース円筒部７６の径よりも大きい寸法に設定されている。また、ストッパー円筒部６２は、ケース円筒部７６よりも上下に短い寸法に設定されている。
ストッパー体６０の上面において、ストッパー円筒部６２を挟んだ前後には、個々にピン６０ａが設けられている。また、ストッパー体６０の下面において、ストッパー円筒部６２を挟んだ左右には、個々に係合突起６０ｂが設けられている。各係合突起６０ｂは、ケース７０の係合溝７２ａに対して係合可能な形状に構成されている。
ストッパー体６０には前延部６４が設けられている。前延部６４の下面にはボックス収納体１０のカム部１８に対する接触子６４ａが設けられている。
【００１８】
図７および図９に示すように、ストッパー体６０は、そのストッパー円筒部６２が、ケース円筒部７６の外周回りに組付けられている。これにより、ストッパー体６０はケース円筒部７６によって回転可能に支持されている。また、ストッパー体６０はケース円筒部７６によって該ストッパー体６０の回転軸線に沿った直線移動が可能に支持されている。ストッパー円筒部６２の外周回りにはスプリングＳが組付けられている。スプリングＳの下方側の端部は、ストッパー体６０を上下に貫通した取付け孔Ｈ３（図４参照）に嵌め込まれている。
ストッパー体６０の上面側においては、各ピン６０ａが各閂ロッド５０の挿入孔５０ａに挿通されている。これにより、ストッパー体６０と各閂ロッド５０とが連結されている。そして、ストッパー体６０の回転に伴って各閂ロッド５０が左右方向にスライド可能となっている。
【００１９】
図３乃至４に示すように、ノブ８０は、ケース７０のノブ保持部７８に対応する形状の薄い板によって構成されている。ノブ８０の前後左右の各側面には、外方に張り出した支持凸部８０ａが個々に設けられている。各支持凸部８０ａがケース７０の各支持凹部７４ｂに嵌め込まれることにより、ノブ８０は、ノブ保持部７８で上下に移動可能に支持されている。ノブ８０の上面における前後左右の各箇所には規制解除突起８０ｂが設けられている。各規制解除突起８０ｂは、ケース７０の各規制解除孔７２ｂと対応する位置に設けられ（図９参照）、ケース７０の底壁部７２の厚みに相当する寸法で上方へ延びている。
ノブ８０は、つぎのように作動するものとされている。すなわち、図１２に示すノブ８０が操作されない自由状態において各規制解除突起８０ｂの上端がケース７０の各規制解除孔７２ｂの下部に位置し、図１３に示す押し上げ状態において各規制解除突起８０ｂの上端がケース７０の各規制解除孔７２ｂの上部に位置する。なお、図１２乃至１３においては、ストッパー機構ＳＴＰにおける右側の規制解除孔７２ｂおよび規制解除突起８０ｂのみが表されている。
【００２０】
各閂ロッド５０とストッパー機構ＳＴＰ（図７参照）とノブ８０とは、図８のようにしてボックス本体２０の下部に設置されている。すなわち、ケース７０の各取付部７４ａの取付け構造（ビスＶおよび取付け孔Ｈ２）とボックス本体２０の取付け構造（取付け孔Ｈ１および結合ピンＰ）との結合によってボックス本体２０にケース７０が固定されている。そして、各閂ロッド５０のロック部５０ｂがボックス本体２０の各ロッド孔２９（図３参照）に挿通されている。
図７に示すように、設置状態にあるケース７０のケース円筒部７６には、ボックス本体２０の本体円筒部３０が挿入されている。そして、スプリングＳの上方側の端部が前方側に屈曲してケース円筒部７６の切欠部７６ａ（図３参照）および本体円筒部３０の切欠部３０ａ（図４参照）に係合している。スプリングＳの上方側の端部は、図６に示す自由状態から９０度反時計回りに回転した状態で各切欠部７６ａ，３０ａに係合している。そのため、スプリングＳは、ストッパー体６０に対して、図７に示す反時計回りの回転方向に付勢力を与えている。また、スプリングＳは、ストッパー体６０に対して、該ストッパー体６０の回転軸線に沿った直線移動方向へ付勢力を与えている。
【００２１】
上述したように、本体円筒部３０の後部には羅線状の案内部３０ｂが形成されている（図４参照）。そのため、図６のようにしてスプリングＳとストッパー体６０とが組付けられたケース７０をボックス本体２０に設置する際に、本体円筒部３０をケース円筒部７６に進入させていくと、スプリングＳの上方側の端部が図６に示す自由状態から本体円筒部３０の案内部３０ｂに案内されて反時計回りに自動的に回転し、ケース円筒部７６の切欠部７６ａおよび本体円筒部３０の切欠部３０ａに係合する（図７参照）。
【００２２】
本発明のグローブボックス１用操作装置は、上述のストッパー機構ＳＴＰとノブ８０とボックス収納体１０に設けられたカム部１８とを備え、各閂ロッド５０を図９に示すロック解除状態から図１１に示すロック状態へ、もしくはロック状態からロック解除状態へと作動させる。グローブボックス１用操作装置が各閂ロッド５０を作動させる様子を図９乃至１３によって以下に説明する。なお、図９乃至１１の（Ａ）は、各閂ロッド５０の上面となる高さから下方向を視た断面図を、図９乃至１１の（Ｂ）はストッパー体６０の各係合突起６０ｂの高さから下方向を視た断面図を示している。
【００２３】
グローブボックス１用操作装置は、つぎのようにして各閂ロッド５０をロック解除状態からロック状態へと作動させる。
各閂ロッド５０のロック解除状態（図９参照）においては、ストッパー体６０の前延部６４が左斜め前方を向いている。図９の（Ｂ）に示すように、ストッパー体６０の各係合突起６０ｂはケース７０の各係合溝７２ａから離れた位置にある。
ボックス本体２０をボックス収納体１０に押し入れると（図１０参照）、ストッパー体６０の接触子６４ａがボックス収納体１０のカム部１８に沿って動く。これにより、ストッパー体６０がスプリングＳによる回転方向の付勢力に抗して図１０の回転位置まで時計回りに回転し、各閂ロッド５０がボックス本体２０の外方側へスライドする。ストッパー体６０の各係合突起６０ｂは、図１０の（Ｂ）に示す各係合溝７２ａの中央位置まで移動すると共に、スプリングＳによる直線移動方向の付勢力によって下方へ直線移動して各係合溝７２ａへ落とし込まれる。
ボックス本体２０を押し込み操作から開放すると、ストッパー体６０は、スプリングＳによる回転方向への付勢力によって図１０の回転位置から図１１の回転位置まで反時計回りに回転する。ストッパー体６０の各係合突起６０ｂは、スプリングＳによる直線移動方向の付勢力によってケース７０の各係合溝７２ａに落とし込まれたまま回転し、該各係合溝７２ａの側壁Ｗに係合することで（図１１乃至１２参照）、図１１の回転位置で回転を停止する。図１０の回転位置から図１１の回転位置へのストッパー体６０の回転に伴い、ストッパー体６０の接触子６４ａがボックス収納体１０のカム部１８に沿って後方側へ動く。そして、接触子６４ａが後方側へ移動した寸法分だけボックス本体２０は後方側へ押し戻される。図１１においては意匠板２４がボックス収納体１０の開放面に位置し、ボックス本体２０がボックス収納体１０に対して閉じた状態にある。
ストッパー体６０の各係合突起６０ｂがケース７０の各係合溝７２ａの側壁Ｗに係合するのと同期して、各閂ロッド５０のロック部５０ｂがボックス収納体１０の各ロック孔１４後面に係合する（図１１参照）。この各ロック部５０ｂと各ロック孔１４との係合によって、各閂ロッド５０はそのロック状態を保つことができる。なお、各閂ロッド５０のロック状態において、各閂ロッド５０は、各係合突起６０ｂの各係合溝７２ａに対する係合によって位置規制されている。各係合突起６０ｂの各係合溝７２ａに対する係合代は、各閂ロッド５０の各ロック孔１４に対する係合代よりも小さい寸法となるように設定されている。
【００２４】
グローブボックス１用操作装置は、つぎのようにして各閂ロッド５０をロック状態（図１１参照）からロック解除状態（図９参照）へと作動させる。
各閂ロッド５０のロック状態において、自由状態にあるノブ８０を押し上げると、ノブ８０における左右の各規制解除突起８０ｂがケース７０の各係合溝７２ａに落とし込まれているストッパー体６０の各係合突起６０ｂを各係合溝７２ａよりも上方へ押し上げる（図１２，１３参照）。このストッパー体６０の直線移動によって、各係合溝７２ａに対する各係合突起６０ｂの係合が解除される。なお、図１３では、右側の規制解除突起８０ｂによる係合突起６０ｂの係合解除のみが示されている。
各係合突起６０ｂの各係合溝７２ａに対する係合が解除されると、ストッパー体６０はスプリングＳによる回転方向への付勢力によって図１１の回転位置から図９の回転位置まで反時計回りに回転する。これに伴い、各閂ロッド５０が内方に引き戻されて、該各閂ロッド５０のロック部５０ｂの各ロック孔１４に対する係合が解除される（図９参照）。なお、ストッパー体６０は、図９の（Ａ）に示すようにして各閂ロッド５０がボックス本体２０のロッド受け部３２に受け止められることで、図９の回転位置で回転を停止する。
図１１の回転位置から図９の回転位置へのストッパー体６０の反時計回りに回転に伴い、ストッパー体６０の接触子６４ａがボックス収納体１０のカム部１８に沿って後方側へ動く。そして、接触子６４ａが後方側へ移動した寸法分だけボックス本体２０は後方側へ押し戻される。これにより、各閂ロッド５０のロック解除状態（図９参照）では意匠板２４がボックス収納体１０の開放面よりも後方に位置することとなる。すなわち、ノブ８０の操作によって各閂ロッド５０がロック解除状態に作動すると、ボックス本体２０がボックス収納体１０から自動的に飛び出し、自在に開き操作可能となる。
【００２５】
上述の実施形態においては、ストーパー機構ＳＴＰにおける各係合溝７２ａと各係合突起６０ｂとの係合代を、各閂ロッド５０をロック状態に保つための係合代と比べて小さく設定したことにより、各閂ロッド５０をロック解除状態とするには、ノブ８０を操作して係合代の小さい各係合溝７２ａと各係合突起６０ｂとの係合を外して各閂ロッド５０の位置規制を解除すればよく、このときのノブ８０の操作ストロークを小さくすることができる。
上述の実施形態においては、ストーパー機構ＳＴＰのストッパー体６０は、ボックス本体２０が閉ざされると、スプリングＳの付勢力に抗して各閂ロッド５０をロック状態に作動させ、かつ、スプリングＳの付勢力によって各係合突起６０ｂを各係合溝７２ａに係合させるように構成されている。これにより、各閂ロッド５０は常にロック解除方向への付勢力を受けているにも関わらず、ボックス本体２０を閉ざした状態ではストッパー機構ＳＴＰによって各閂ロッド５０がロック状態に位置規制される。
上述の実施形態においては、単一のスプリングＳがストッパー体６０に対して異なる２つの付勢力を与えるように機能することから、各付勢力を個別のスプリングによって与える場合に比べて、部材点数の削減を図ることができる。
上述の実施形態においては、ノブ８０がボックス本体２０の下部に設置されていることから、グローブボックス１の外観意匠性の向上を図ることができる。
上述の実施形態においては、ノブ８０の操作によって各閂ロッド５０がロック解除状態に作動するとボックス本体２０がボックス収納体１０から自動的に飛び出すことから、ボックス本体２０の引き出し操作が容易となる。
【００２６】
以上は本発明を実施するための最良の形態を図面に関連して説明したが、この実施の形態は本発明の趣旨から逸脱しない範囲で容易に変更または変形できるものである。
例えば、コンソール等に設けられる引き出し式の機能部材（例えばトレイ）にストッパー機構ＳＴＰとノブ８０とを設け、コンソール本体にカム部１８を設けることで、上述の実施形態と同様にして各閂ロッド５０をロック状態とロック解除状態とに作動させることができる。
【符号の説明】
【００２７】
１     グローブボックス
１０   ボックス収納体
２０   ボックス本体
５０   閂ロッド
６０ｂ 係合突起
７２ａ 係合溝
８０   ノブ
ＳＴＰ ストッパー機構
【図１】
2015039997.tif 000003
【図２】
2015039997.tif 000004
【図３】
2015039997.tif 000005
【図４】
2015039997.tif 000006
【図５】
2015039997.tif 000007
【図６】
2015039997.tif 000008
【図７】
2015039997.tif 000009
【図８】
2015039997.tif 000010
【図９】
2015039997.tif 000011
【図１０】
2015039997.tif 000012
【図１１】
2015039997.tif 000013
【図１２】
2015039997.tif 000014
【図１３】
2015039997.tif 000015